(57)【要約】  本発明に係る通信制御方法は、ＭＢＭＳサービスを受信するための方法である。通信制御方法は、ＰＬＭＮ１に属するセルＡにおいて接続状態のＵＥ１００が、自身の興味のあるＭＢＭＳサービスがＰＬＭＮ２で配信されると判断した場合に、接続状態からアイドル状態に遷移するための情報をセルＡに送信するステップＡと、接続状態からアイドル状態に遷移したＵＥ１００が、ＰＬＭＮ２に属するセルＢを再選択した上で、セルＢからＭＢＭＳサービスを受信するステップＢと、を含む。
2014157396.tif 000002
【特許請求の範囲】
【請求項１】
ＭＢＭＳサービスを受信するための通信制御方法であって、
第１のＰＬＭＮに属する第１のセルにおいて接続状態のユーザ端末が、自身の興味のあるＭＢＭＳサービスが第２のＰＬＭＮで配信されると判断した場合に、前記接続状態からアイドル状態に遷移するための情報を前記第１のセルに送信するステップＡと、
前記接続状態から前記アイドル状態に遷移した前記ユーザ端末が、前記第２のＰＬＭＮに属する第２のセルを再選択した上で、前記第２のセルから前記ＭＢＭＳサービスを受信するステップＢと、
を含むことを特徴とする通信制御方法。
【請求項２】
前記ステップＡは、
前記ユーザ端末が、前記第２のＰＬＭＮで配信されるＭＢＭＳサービスに関するＭＢＭＳ基本情報を前記第１のＰＬＭＮから受信するステップＡ１と、
前記ユーザ端末が、前記ＭＢＭＳ基本情報に基づいて、前記第２のＰＬＭＮで配信されるＭＢＭＳサービスに関するＭＢＭＳ詳細情報を前記第２のＰＬＭＮから受信するステップＡ２と、
前記ユーザ端末が、前記ＭＢＭＳ詳細情報に基づいて、自身の興味のあるＭＢＭＳサービスが前記第２のＰＬＭＮで配信されると判断するステップＡ３と、
を含むことを特徴とする請求項１に記載の通信制御方法。
【請求項３】
前記ステップＡにおいて、前記ユーザ端末は、前記接続状態から前記アイドル状態に遷移するための情報として、ＲＲＣ接続の解放要求を前記第１のセルに送信することを特徴とする請求項１に記載の通信制御方法。
【請求項４】
前記ステップＡにおいて、前記ユーザ端末は、前記接続状態から前記アイドル状態に遷移するための情報として、周波数情報と優先度情報とを含むＭＢＭＳ興味通知を前記第１のセルに送信し、
前記周波数情報は、前記ユーザ端末が受信している又は興味のあるＭＢＭＳサービスを配信する周波数が無いことを示し、
前記優先度情報は、ＭＢＭＳサービスの受信をユニキャストサービスの受信よりも優先させることを示すことを特徴とする請求項１に記載の通信制御方法。
【請求項５】
ＭＢＭＳをサポートするユーザ端末であって、
第１のＰＬＭＮに属する第１のセルにおいて接続状態である場合で、かつ、自身の興味のあるＭＢＭＳサービスが第２のＰＬＭＮで配信されると判断した場合に、前記接続状態からアイドル状態に遷移するための情報を前記第１のセルに送信する制御部を備え、
前記制御部は、前記接続状態から前記アイドル状態に遷移した後、前記第２のＰＬＭＮに属する第２のセルを再選択して、前記第２のセルから前記ＭＢＭＳサービスを受信することを特徴とするユーザ端末。
【請求項６】
ＭＢＭＳをサポートするユーザ端末に備えられるプロセッサであって、
第１のＰＬＭＮに属する第１のセルにおいて接続状態である場合で、かつ、自身の興味のあるＭＢＭＳサービスが第２のＰＬＭＮで配信されると判断した場合に、前記接続状態からアイドル状態に遷移するための情報を前記第１のセルに送信する処理Ａと、
前記接続状態から前記アイドル状態に遷移した後、前記第２のＰＬＭＮに属する第２のセルを再選択して、前記第２のセルから前記ＭＢＭＳサービスを受信する処理Ｂと、
を実行することを特徴とするプロセッサ。
【発明の詳細な説明】
【技術分野】
【０００１】
本発明は、ＭＢＭＳサービスを受信するための通信制御方法、ユーザ端末、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の標準化が進められている（例えば、非特許文献１参照）。【０００３】
また、ＭＢＭＳをサポートする公衆陸上移動網（ＰＬＭＮ）は、複数存在することがある。各ＰＬＭＮは、オペレータ（通信事業者）が異なるネットワークであってもよく、無線アクセス技術（ＲＡＴ）が異なるネットワークであってもよい。
【先行技術文献】
【非特許文献】
【０００４】
【非特許文献１】３ＧＰＰ技術仕様  「ＴＳ  ３６．３００  Ｖ１１．４．０」  ２０１２年１２月
【発明の概要】
【０００５】
しかしながら、ユーザ端末の興味のあるＭＢＭＳサービスが、当該ユーザ端末が選択するＰＬＭＮとは異なるＰＬＭＮから配信される場合、当該ユーザ端末が当該ＭＢＭＳサービスを受信できないという問題がある。
【０００６】
そこで、本発明は、選択するＰＬＭＮとは異なるＰＬＭＮから配信されるＭＢＭＳサービスの受信を可能にする通信制御方法、ユーザ端末、及びプロセッサを提供する。
【０００７】
本発明に係る通信制御方法は、ＭＢＭＳサービスを受信するための方法である。前記通信制御方法は、第１のＰＬＭＮに属する第１のセルにおいて接続状態のユーザ端末が、自身の興味のあるＭＢＭＳサービスが第２のＰＬＭＮで配信されると判断した場合に、前記接続状態からアイドル状態に遷移するための情報を前記第１のセルに送信するステップＡと、前記接続状態から前記アイドル状態に遷移した前記ユーザ端末が、前記第２のＰＬＭＮに属する第２のセルを再選択した上で、前記第２のセルから前記ＭＢＭＳサービスを受信するステップＢと、を含む。
【図面の簡単な説明】
【０００８】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、実施形態に係る動作環境を示す図である。
【図７】図７は、実施形態に係る動作シーケンス図である。
【発明を実施するための形態】
【０００９】
［実施形態の概要］
実施形態に係る通信制御方法は、ＭＢＭＳサービスを受信するための方法である。前記通信制御方法は、第１のＰＬＭＮに属する第１のセルにおいて接続状態のユーザ端末が、自身の興味のあるＭＢＭＳサービスが第２のＰＬＭＮで配信されると判断した場合に、前記接続状態からアイドル状態に遷移するための情報を前記第１のセルに送信するステップＡと、前記接続状態から前記アイドル状態に遷移した前記ユーザ端末が、前記第２のＰＬＭＮに属する第２のセルを再選択した上で、前記第２のセルから前記ＭＢＭＳサービスを受信するステップＢと、を含む。
【００１０】
実施形態では、前記ステップＡは、前記ユーザ端末が、前記第２のＰＬＭＮで配信されるＭＢＭＳサービスに関するＭＢＭＳ基本情報を前記第１のＰＬＭＮから受信するステップＡ１と、前記ユーザ端末が、前記ＭＢＭＳ基本情報に基づいて、前記第２のＰＬＭＮで配信されるＭＢＭＳサービスに関するＭＢＭＳ詳細情報を前記第２のＰＬＭＮから受信するステップＡ２と、前記ユーザ端末が、前記ＭＢＭＳ詳細情報に基づいて、自身の興味のあるＭＢＭＳサービスが前記第２のＰＬＭＮで配信されると判断するステップＡ３と、を含む。
【００１１】
実施形態では、前記ステップＡにおいて、前記ユーザ端末は、前記接続状態から前記アイドル状態に遷移するための情報として、ＲＲＣ接続の解放要求を前記第１のセルに送信する。
【００１２】
実施形態では、前記ステップＡにおいて、前記ユーザ端末は、前記接続状態から前記アイドル状態に遷移するための情報として、周波数情報と優先度情報とを含むＭＢＭＳ興味通知を前記第１のセルに送信する。前記周波数情報は、前記ユーザ端末が受信している又は興味のあるＭＢＭＳサービスを配信する周波数が無いことを示す。前記優先度情報は、ＭＢＭＳサービスの受信をユニキャストサービスの受信よりも優先させることを示す。
【００１３】
実施形態に係るユーザ端末は、ＭＢＭＳをサポートする。前記ユーザ端末は、第１のＰＬＭＮに属する第１のセルにおいて接続状態である場合で、かつ、自身の興味のあるＭＢＭＳサービスが第２のＰＬＭＮで配信されると判断した場合に、前記接続状態からアイドル状態に遷移するための情報を前記第１のセルに送信する制御部を備える。前記制御部は、前記接続状態から前記アイドル状態に遷移した後、前記第２のＰＬＭＮに属する第２のセルを再選択して、前記第２のセルから前記ＭＢＭＳサービスを受信する。
【００１４】
実施形態に係るプロセッサは、ＭＢＭＳをサポートするユーザ端末に備えられる。前記プロセッサは、第１のＰＬＭＮに属する第１のセルにおいて接続状態である場合で、かつ、自身の興味のあるＭＢＭＳサービスが第２のＰＬＭＮで配信されると判断した場合に、前記接続状態からアイドル状態に遷移するための情報を前記第１のセルに送信する処理Ａと、前記接続状態から前記アイドル状態に遷移した後、前記第２のＰＬＭＮに属する第２のセルを再選択して、前記第２のセルから前記ＭＢＭＳサービスを受信する処理Ｂと、を実行する。
【００１５】
［実施形態］
以下、図面を参照して、３ＧＰＰ規格に準拠して構成される移動通信システムの一つであるＬＴＥ（Ｌｏｎｇ  Ｔｅｒｍ  Ｅｖｏｌｕｔｉｏｎ）システムに本発明を適用する場合の実施形態を説明する。
【００１６】
（ＬＴＥシステム）
図１は、第１実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００１７】
ＵＥ１００は、移動型の通信装置であり、接続先のセル（サービングセル）との無線通信を行う。ＵＥ１００はユーザ端末に相当する。
【００１８】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００１９】
ｅＮＢ２００は、例えば、無線リソース管理（ＲＲＭ）機能と、ユーザデータのルーティング機能と、モビリティ制御及びスケジューリングのための測定制御機能と、を有する。
【００２０】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００２１】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２２】
次に、ＵＥ１００及びｅＮＢ２００の構成を説明する。
【００２３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２４】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００２５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２６】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００２７】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００２８】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００２９】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３０】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３１】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００３２】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００３３】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００３４】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００３５】
ＰＤＣＰレイヤは、ヘッダ圧縮・伸張、及び暗号化・復号化を行う。
【００３６】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００３７】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００３８】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３９】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００４０】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。
【００４１】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００４２】
（ＭＢＭＳ）
ＭＢＭＳは、マルチキャスト配信を実現するベアラサービスである。ネットワークは、ＭＢＭＳサービスの受信を望む複数のＵＥに対して、共通のベアラで一斉にＭＢＭＳサービスを配信することにより、ネットワーク効率及び周波数利用効率を向上できる。また、ＭＢＳＦＮ（ＭＢＭＳ  Ｓｉｎｇｌｅ  Ｆｒｅｑｕｅｎｃｙ  Ｎｅｔｗｏｒｋ）を構成するｅＮＢは、同一信号を一斉に送信することにより、ＵＥは各ｅＮＢから送信された信号をＲＦ合成できる。
【００４３】
ＭＢＭＳ用の論理チャネルとしては、ＭＴＣＨ（Ｍｕｌｔｉｃａｓｔ  Ｔｒａｆｆｉｃ  Ｃｈａｎｎｅｌ）と、ＭＣＣＨ（Ｍｕｌｔｉｃａｓｔ  Ｃｏｎｔｒｏｌ  Ｃｈａｎｎｅｌ）と、が規定されている。また、ＭＢＭＳ用のトランスポートチャネルとしては、ＭＣＨ（Ｍｕｌｔｉｃａｓｔ  Ｃｈａｎｎｅｌ）が規定されている。ｅＮＢ２００は、マルチキャストチャネル（ＭＴＣＨ及びＭＣＣＨ）を介して、ＭＢＭＳサービスと、ＭＢＭＳサービス配信を制御するためのＭＢＭＳ制御情報と、を配信する。
【００４４】
なお、ＭＢＭＳは、ＬＴＥシステムだけでなく、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）においてもサポートされる。
【００４５】
（実施形態に係る動作）
以下において、本実施形態に係る動作について説明する。
【００４６】
図６は、本実施形態に係る動作環境を示す図である。図６に示すように、ＭＢＭＳをサポートするＰＬＭＮが複数存在する。ＵＥ１００は、複数のＰＬＭＮ（ＰＬＭＮ１及び２）をサポートしており、複数のＰＬＭＮの中から選択したＰＬＭＮに位置登録する。
【００４７】
ＰＬＭＮ１及び２は、オペレータが異なるネットワークである。すなわち、ＰＬＭＮ１はオペレータ１が提供するネットワークであり、ＰＬＭＮ２はオペレータ２が提供するネットワークである。
【００４８】
或いは、ＰＬＭＮ１及び２は、ＲＡＴが異なるネットワークである。すなわち、ＰＬＭＮ１はＲＡＴ１（例えばＬＴＥ）に準拠するネットワークであり、ＰＬＭＮ２はＲＡＴ２（例えばＵＭＴＳ）に準拠するネットワークである。
【００４９】
ＵＥ１００は、ＰＬＭＮ１に属するセルＡとＰＬＭＮ２に属するセルＢとの重複領域に位置する。また、ＵＥ１００は、ＰＬＭＮ１に属するセルＡをサービングセルとしており、セルＡにおいて接続状態にある。セルＡはＰＬＭＮ１のｅＮＢ２００−１により管理され、セルＢはＰＬＭＮ２のｅＮＢ２００−２により管理される。
【００５０】
図７は、本実施形態に係る動作シーケンス図である。セルＡにおいて接続状態にあるＵＥ１００は、ＭＢＭＳサービスを受信中であってもよく、ＭＢＭＳサービスを受信していなくてもよい。
【００５１】
図７に示すように、ステップＳ１０１において、ＵＥ１００は、ＰＬＭＮ２で配信されるＭＢＭＳサービスに関するＵＳＤ（Ｕｓｅｒ  Ｓｅｒｖｉｃｅ  Ｄｅｓｃｒｉｐｔｉｏｎ）をｅＮＢ２００−１から受信する。
【００５２】
ＵＳＤは、ＮＡＳレイヤのメッセージ（すなわち、ＮＡＳメッセージ）として構成される。ＵＳＤは、ＭＢＭＳ基本情報に相当する。ＵＳＤは、ＰＬＭＮ２で配信されるＭＢＭＳサービスの識別子を含んでもよい。このようなサービス識別子は、ＴＭＧＩ（Ｔｅｍｐｏｒａｒｙ  Ｍｏｂｉｌｅ  Ｇｒｏｕｐ  Ｉｄｅｎｔｉｆｉｅｒ）と称される。また、ＵＳＤは、ＰＬＭＮ２で配信されるＭＢＭＳサービスの配信開始時間（セッション開始時間）を示す情報、及びＰＬＭＮ２で配信されるＭＢＭＳサービスの配信終了時間（セッション終了時間）を示す情報を含んでもよい。さらに、ＵＳＤは、ＰＬＭＮ２でＭＢＭＳサービスが配信される周波数を示す情報、及びＰＬＭＮ２でＭＢＭＳサービスが配信される地理的エリアを示す情報を含んでもよい。
【００５３】
ステップＳ１０２において、ＵＥ１００は、ＰＬＭＮ２で配信されるＭＢＭＳサービスに関するＵＳＤに基づいて、自身の興味のあるＭＢＭＳサービスがＰＬＭＮ１で配信されないものの、自身の興味のあるＭＢＭＳサービスがＰＬＭＮ２で配信される可能性があると判断する。そして、ＵＥ１００は、ＰＬＭＮ２に属するセルからの信号強度が閾値以上である場合に、ＰＬＭＮ２からのＭＢＭＳ  Ｓｅｒｖｉｃｅ  Ａｒｅａ  ＩＤ  (ＳＡＩ)及び／又はＭＣＣＨの受信（測定）を試行することを決定する。
【００５４】
ＳＡＩ及び／又はＭＣＣＨは、ＭＢＭＳサービスに関するＭＢＭＳ詳細情報に相当する。ＳＡＩは、ＭＢＭＳサービスが配信される地理的エリアを示す識別子である。ＭＣＣＨは、ＭＢＭＳ制御情報を伝送する論理チャネルである。
【００５５】
ステップＳ１０３において、ＵＥ１００は、ｅＮＢ２００−１との通信中断期間（ｍｅａｓｕｒｅｍｅｎｔ  ｇａｐ等）において、ＰＬＭＮ２（ｅＮＢ２００−２）からのＳＡＩ及び／又はＭＣＣＨの受信を試みる。なお、ＵＥ１００が複数の受信機を搭載する場合には、ｍｅａｓｕｒｅｍｅｎｔ  ｇａｐ無しで、ＰＬＭＮ２（ｅＮＢ２００−２）からのＳＡＩ及び／又はＭＣＣＨの受信を試みてもよい。
【００５６】
ＵＥ１００は、ＳＡＩ及び／又はＭＣＣＨに基づいて、自身の興味のあるＭＢＭＳサービスがＰＬＭＮ２で配信されていることを確認する。
【００５７】
ステップＳ１０４において、ＵＥ１００は、ＭＢＭＳサービスの受信をユニキャストサービスの受信よりも優先させる場合に、ＰＬＭＮ１からＰＬＭＮ２に切り替えるために、接続状態からアイドル状態に遷移するための処理を開始する。
【００５８】
ステップＳ１０５において、ＵＥ１００は、接続状態からアイドル状態に遷移するための情報として、ＲＲＣ接続の解放要求をｅＮＢ２００−１（セルＡ）に送信する。ＲＲＣ接続の解放要求は、ＲＲＣレイヤのメッセージ（すなわち、ＲＲＣメッセージ）として構成される。
【００５９】
ステップＳ１０６において、ｅＮＢ２００−１は、ＲＲＣ接続の解放要求をＵＥ１００から受信したことに応じて、ＵＥ１００とのＲＲＣ接続を解放することをＵＥ１００に通知する。そして、ｅＮＢ２００−１及びＵＥ１００は、ＲＲＣ接続を解放する。その結果、ＵＥ１００は、接続状態からアイドル状態に遷移する。
【００６０】
ステップＳ１０７において、アイドル状態に遷移したＵＥ１００は、ＰＬＭＮ２に属するセルＢ（ｅＮＢ２００−２）を再選択した上で、ＰＬＭＮ２に属するセルＢからＭＢＭＳサービスを受信する。また、ＵＥ１００は、セルＢにおいてアイドル状態から接続状態に遷移し、接続状態においてセルＢからＭＢＭＳサービスを受信してもよい。さらに、セルＢ（ｅＮＢ２００−２）がＭＢＭＳ興味通知の受信をサポートしている場合、ＵＥ１００は、ＭＢＭＳ興味通知をセルＢに送信し、ＭＢＭＳサービスの受信と共にユニキャストサービスの受信を試みてもよい。
【００６１】
なお、ＭＢＭＳ興味通知は、ＲＲＣメッセージの一種である。ＭＢＭＳ興味通知は、周波数情報（ｍｂｍｓ−ＦｒｅｑＬｉｓｔ）と優先度情報（ｍｂｍｓ−Ｐｒｉｏｒｉｔｙ）とを含む。周波数情報は、ＵＥ１００が受信している又は興味のあるＭＢＭＳサービスを配信する周波数を示す情報である。優先度情報は、ＭＢＭＳサービスの受信をユニキャストサービスの受信よりも優先させるか否かを示す情報である。
【００６２】
上述したように、ＵＥ１００の興味のあるＭＢＭＳサービスが、ＵＥ１００が選択するＰＬＭＮ１とは異なるＰＬＭＮ２から配信される場合でも、ＵＥ１００は、ＲＲＣ接続を解放してＰＬＭＮ２を再選択することにより、自身の興味のあるＭＢＭＳサービスをＰＬＭＮ２から受信できる。
【００６３】
［実施形態の変更例］
上述した実施形態では、ＵＥ１００は、接続状態からアイドル状態に遷移するための情報として、ＲＲＣ接続の解放要求をｅＮＢ２００−１（セルＡ）に送信していた。
【００６４】
本変更例では、ＵＥ１００は、ＲＲＣ接続の解放要求に代えて、特別なＭＢＭＳ興味通知をｅＮＢ２００−１（セルＡ）に送信する。特別なＭＢＭＳ興味通知は、周波数情報が「エンプティ」に設定され、優先度情報が「ＭＢＭＳサービスの受信優先」に設定される。
【００６５】
すなわち、特別なＭＢＭＳ興味通知では、周波数情報は、ＵＥ１００が受信している又は興味のあるＭＢＭＳサービスを配信する周波数が無いことを示す。また、特別なＭＢＭＳ興味通知では、ＭＢＭＳサービスの受信をユニキャストサービスの受信よりも優先させることを示す。
【００６６】
ｅＮＢ２００−１は、特別なＭＢＭＳ興味通知をＵＥ１００から受信すると、ＵＥ１００が別のＰＬＭＮで配信されるＭＢＭＳサービスに興味があると判断して、ＵＥ１００とのＲＲＣ接続を解放する。
【００６７】
［その他の実施形態］
上述した実施形態に係るＲＲＣ接続の解放要求は、ＭＢＭＳ受信以外の用途に適用してもよい。具体的には、ＵＥ１００の意志でＲＲＣ接続を解放するケースにＲＲＣ接続の解放要求を適用できる。例えば、ＵＥ１００内でのデバイス間干渉（ＬＴＥ−ＧＰＳ／ＷｉＦｉ）が強く、ＬＴＥ通信を別周波数に移動したい又は停止したいが、ｅＮＢ２００がInDeviceCoexIndication messageをサポートしていないことから、止むを得ずＬＴＥ通信を停止するような場合に、ＵＥ１００がＲＲＣ接続の解放要求をｅＮＢ２００に送信してもよい。
【００６８】
上述した実施形態では、本発明をＬＴＥシステムに適用するケースを主として説明したが、ＬＴＥシステムに限定されるものではなく、ＬＴＥシステム以外のシステムに本発明を適用してもよい。
【００６９】
このように、本発明は、ここでは記載していない様々な実施の形態などを含むことは勿論である。また、上述した実施形態及び変更例は、組み合わせることが可能である。したがって、本発明の技術的範囲は、上述の説明から妥当な請求の範囲に係る発明特定事項によってのみ定められる。
【００７０】
なお、米国仮特許出願第６１／８０５，７８９号（２０１３年３月２７日出願）の全内容が、参照により、本願に組み込まれている。
【産業上の利用可能性】
【００７１】
本発明によれば、選択するＰＬＭＮとは異なるＰＬＭＮから配信されるＭＢＭＳサービスの受信を可能にする通信制御方法、ユーザ端末、及びプロセッサを提供することができる。
【図１】
2014157396.tif 000003
【図２】
2014157396.tif 000004
【図３】
2014157396.tif 000005
【図４】
2014157396.tif 000006
【図５】
2014157396.tif 000007
【図６】
2014157396.tif 000008
【図７】
2014157396.tif 000009
【国際調査報告】
2014157396.tif 000010
2014157396.tif 000011